(57)【要約】      （修正有）【課題】捩じりブラシの捩じりワイヤを片端保持及び両端保持又は両端支持して足指の股間位置相等に配置して指先より指入れ行い、手は勿論、両足だけでも丁寧な洗浄を可能なブラシを提供する。【解決手段】弾性を有する捩じりワイヤ１と弾性を有する植毛素線２とを一体にして、棒状に形成した複数の棒状支持捩じりブラシ９と、棒状支持捩じりブラシ９の両端の捩じりワイヤ１を保持する棒状支持体１０を備え、各棒状支持捩じりブラシ９の捩じりワイヤ１が足指股間部の間隔位置相等に配置して支持されている足指股間ブラシ６とする。【選択図】図３
2016042948.tif 000002
【特許請求の範囲】
【請求項１】
足指の股間部を洗浄する用具であって、
弾性を有する捩じりワイヤと弾性を有する植毛素線とを一体にして、その中央部で足指股間部の間隔相等にしてＵ型状に折り曲げたＵ型状曲げ部を有するＵ型状捩じりブラシと、
前記Ｕ型状捩じりブラシの両端の前記捩じりワイヤを保持するＵ型保持体を備え、
一体に形成したことを特徴とする足指股間ブラシ。
【請求項２】
足指の股間部を洗浄する用具であって、
弾性を有する捩じりワイヤと弾性を有する植毛素線とを一体にして、その中央部で足指股間部の間隔相等にしてＵ型状に折り曲げたＵ型状曲げ部を有するＵ型状捩じりブラシと、
前記Ｕ型状捩じりブラシの両端の前記捩じりワイヤを保持するＵ型保持体を備え、
複数の前記Ｕ型状捩じりブラシを足指股間部の間隔位置相等に配置して保持されて一体に形成したことを特徴とする足指股間ブラシ。
【請求項３】
足指の股間部を洗浄する用具であって、
弾性を有する捩じりワイヤと弾性を有する植毛素線とを一体にして、棒状に形成した複数の棒状捩じりブラシと、
前記棒状捩じりブラシの両端の前記捩じりワイヤを保持する棒状保持体を備え、
各前記棒状捩じりブラシの前記捩じりワイヤが足指股間部の間隔位置相等に配置して保持されていることを特徴とする足指股間ブラシ。
【請求項４】
足指の股間部を洗浄する用具であって、
弾性を有する捩じりワイヤと弾性を有する植毛素線とを一体にして、棒状に形成した複数の棒状支持捩じりブラシと、
前記棒状支持捩じりブラシの両端の前記捩じりワイヤを着脱可能に支持する棒状支持体を備え、
各前記棒状支持捩じりブラシの前記捩じりワイヤが足指股間部の間隔位置相等に配置して支持されていることを特徴とする足指股間ブラシ。
【請求項５】
足指の股間部を洗浄する用具であって、
弾性を有する捩じりワイヤと弾性を有する植毛素線とを一体にして、棒状に形成した複数の棒状支持捩じりブラシと、
前記棒状支持捩じりブラシの両端の前記捩じりワイヤを回転可能に支持する棒状支持体を備え、
各前記棒状支持捩じりブラシの前記捩じりワイヤが足指股間部の間隔位置相等に配置して支持されていることを特徴とする足指股間ブラシ。
【請求項６】
前記Ｕ型保持体は、把持手段を構成したことを特徴とする請求項１又は２の何れか１項に記載の足指股間ブラシ。
【請求項７】
前記棒状保持体及び前記棒状支持体は、把持手段を構成したことを特徴とする請求項３〜５の何れか１項に記載の足指股間ブラシ。
【請求項８】
前記Ｕ型保持体は、指先挿入方向と反対方向に伸びた張り出し座を備えたことを特徴とする請求項１又は２の何れか１項に記載の足指股間ブラシ。
【請求項９】
前記棒状保持体及び前記棒状支持体は、指先挿入方向と反対方向に伸びた張り出し座を備えたことを特徴とする請求項３〜５の何れか１項に記載の足指股間ブラシ。
【発明の詳細な説明】
【技術分野】
【０００１】
本発明は、足指股間部の洗浄を簡便で容易にした足指股間ブラシに関するものである。
【背景技術】
【０００２】
足指股間部を洗浄する用具として、「特許文献１」指間ブラシの先行技術文献が公開されている。この指間ブラシは、ハンドルの一端に１〜４本のロッドを取付け、この各ロッドに複数のリングを嵌めて各リングの外周壁にブリッスルを放射状に植毛したことを特徴として、ブラシ先端部より足指股間部にブラシを挿入してブラシの往復運動よって足指股間部を洗浄する方法としている。この方法によるとロッドを１〜２本の場合、ロッドと指間の片当たりは少ないが、変形し難いロッドを４本用いると指間隔の違いにより指とロッドが片当たりして均等な指圧が得難い構成になっており、リングはロッドに圧入して保持しており圧入力が弱いと使用時にリングが抜け出し、圧入力を強くするとリング交換がし難くなり両者のバランスをとる工夫が必要になっており、手で足指の洗浄を行う手法のみという問題があった。
【０００３】
又、足指股間部を洗浄する用具として、「非特許文献１」バス雑貨商品情報によるフットウオッシングブラシがインターネット販売されている。このフットウオッシングブラシは、２本の捩じりブラシ付け根をハンドルに固定してブラシ先端の上部より足指間に押込み指入れを行い、ブラシを上下方向に往復させて足指股間部を洗浄する方法としている。この使用方法によると洗浄時に指間ブラシ先端の間隔と指股間の位置合わせに指間を広げないと入り難く、ストロークが大きくなると指から捩じりブラシが抜き出ることがあり、指間隙間が狭い時に無造作に指間ブラシを押し込むとブラシ軸先端が指に当り皮膚を痛めることがあり、洗浄動作においても２本のブラシ軸では片足指の股部４ケ所を洗浄するのに同じような洗浄動作を二度繰り返して行う二度手間を要しており、手で足指の洗浄を行う手法のみという問題があった。
【先行技術文献】
【特許文献】
【０００４】
【特許文献１】特開２０００−５０９６０号公報
【非特許文献】
【０００５】
【非特許文献１】ベス工業株式会社「バス雑貨商品情報/フットウオッシング                  ブラシ」インターネット<URL:http://shop.vess.co.jp>
【発明の概要】
【発明が解決しようとする課題】
【０００６】
解決しようとする問題点は、足指の股間部を洗浄するのに、指入れ動作に注意を要し、指間に均等な指圧が得られず、指の抜け出しがあり、一度に片足の洗浄ができず、手を使わずに両足だけでも洗浄ができない点である。
【課題を解決するための手段】
【０００７】
本発明は、足指の股間部を洗浄するのに、粗雑な指入れ動作を許容し、指間に均等な指圧を与え、指の抜け出しを無くし、一度に片足の洗浄ができ、手を使わずに両足だけでも洗浄を可能とするため、捩じりブラシの捩じりワイヤを片端保持及び両端保持又は両端支持して足指の股間位置相等に配置して指先より指入れ行い、手は勿論、両足だけでも丁寧な洗浄を実現することを最も主要な特徴とする。
【０００８】
本発明のＵ型状捩じりブラシを用いた足指股間ブラシは、足指の股間部を洗浄する用具として、弾性を有する捩じりワイヤと弾性を有する植毛素線とを一体にして、その中央部で足指股間部の間隔相等にしてＵ型状に折り曲げたＵ型状曲げ部を有するＵ型状捩じりブラシと、Ｕ型状捩じりブラシの両端の捩じりワイヤを保持するＵ型保持体を備え一体に形成した。
【０００９】
本発明のＵ型状捩じりブラシを複数用いた足指股間ブラシは、足指の股間部を洗浄する用具として、弾性を有する捩じりワイヤと弾性を有する植毛素線とを一体にして、その中央部で足指股間部の間隔相等にしてＵ型状に折り曲げたＵ型状曲げ部を有するＵ型状捩じりブラシと、Ｕ型状捩じりブラシの両端の捩じりワイヤを保持するＵ型保持体を備え、複数のＵ型状捩じりブラシを足指股間部の間隔位置相等に配置して保持されて一体に形成した。
【００１０】
本発明の棒状捩じりブラシを複数用いた足指股間ブラシは、足指の股間部を洗浄する用具として、弾性を有する捩じりワイヤと弾性を有する植毛素線とを一体にして、棒状に形成した複数の棒状捩じりブラシと、棒状捩じりブラシの両端の捩じりワイヤを保持する棒状保持体を備え、各棒状捩じりブラシの捩じりワイヤが足指股間部の間隔位置相等に保持されて構成した。
【００１１】
本発明の着脱可能な棒状支持捩じりブラシを複数用いた足指股間ブラシは、足指の股間部を洗浄する用具として、弾性を有する捩じりワイヤと弾性を有する植毛素線とを一体にして、棒状に形成した複数の棒状支持捩じりブラシと、棒状支持捩じりブラシの両端の捩じりワイヤを着脱可能に支持する棒状支持体を備え、各棒状支持捩じりブラシの捩じりワイヤが足指股間部の間隔位置相等に配置されて構成した。
【００１２】
本発明の回転可能な棒状支持捩じりブラシを複数用いた足指股間ブラシは、足指の股間部を洗浄する用具として、弾性を有する捩じりワイヤと弾性を有する植毛素線とを一体にして、棒状に形成した複数の棒状支持捩じりブラシと、棒状支持捩じりブラシの両端の捩じりワイヤを回転可能に支持する棒状支持体を備え、各棒状支持捩じりブラシの捩じりワイヤが足指股間部の間隔位置相等に配置されて構成した。
【００１３】
本発明の把持手段を構成した足指股間ブラシは、Ｕ型保持体に把持手段を構成した。
【００１４】
本発明の把持手段を構成した足指股間ブラシは、棒状保持体及び棒状支持体に把持手段を構成した。
【００１５】
本発明の張り出し座をＵ型保持体に備えた足指股間ブラシは、Ｕ型保持体は、指先挿入方向と反対方向に伸びた張り出し座を備えた。
【００１６】
本発明の張り出し座を棒状保持体及び棒状支持体に備えた足指股間ブラシは、棒状保持体及び棒状支持体に指先挿入方向と反対方向に伸びた張り出し座を備えた。
【発明の効果】
【００１７】
本発明の足指股間ブラシは、足指股間部を洗浄するのに交換可能な捩じりブラシの捩じりワイヤを足指の股間位置相等に配置して支持して指先より指入れ行うことで、粗雑な指入れ動作を許容し、指間に均等な指圧を与え、指の抜け出しを無くし、一度に片足の洗浄ができ、両足だけでの洗浄を可能とするための張り出し座を備えて、手は勿論、両足だけでも入念な洗浄ができるという利点がある。
【００１８】
請求項１の効果は、「特許文献１」及び「非特許文献１」に対し、Ｕ型状捩じりブラシを片足の指先から指間に滑り込ませることで粗雑な指入れ動作を許容して使い易さを簡便にし、捩じりワイヤをＵ型状にしてブラシ先端部の広がりを抑え、捩じりワイヤを股間部の間隔相等にして指入れを可能にし、洗浄時の不意な指抜けを防ぎ、手軽な洗浄を可能にする。
【００１９】
請求項２の効果は、「特許文献１」及び「非特許文献１」に対し、複数のＵ型状捩じりブラシを片足の指先から指間に滑り込ませることで粗雑な指入れ動作を許容して使い易さを簡便にし、捩じりワイヤをＵ型状にしてブラシ先端の広がりを抑え、捩じりワイヤを股間部の間隔位置相等に配置したことによって指間の片当りが抑制され、洗浄時の不意な指抜けを防ぎ、片足の指間を一度で同時に適度な指圧での洗浄を可能にする。
【００２０】
請求項３の効果は、「特許文献１」及び「非特許文献１」に対し、複数の棒状捩じりブラシを用いて捩じりワイヤの弾性を柔軟にして捩じりワイヤを指先から指間に滑り込ませて粗雑な指入れ動作を許容して使い易さを簡便にし、捩じりワイヤを足指股間部の間隔位置相等に保持したことによって帯同した指入れを可能にし、均等な指圧で指間にフィットさせて洗浄時の指抜けを防ぎ、一度に片足洗浄を可能にする。
【００２１】
請求項４の効果は、「特許文献１」及び「非特許文献１」に対し、棒状支持捩じりブラシを湾曲にして捩じりワイヤの両端部を支持穴に嵌め込み着脱を容易にして洗浄時に捩じりワイヤ先端で力を受けて外れ難い構造にしており、様々な感度に応じた交換用ブラシを備えることでユーザー好みに合わせた指圧感触の選択を可能にする。
【００２２】
請求項５の効果は、「特許文献１」及び「非特許文献１」に対し、棒状支持捩じりブラシの捩じりワイヤ両端部を支持穴に嵌め込み回転を可能にして洗浄時に捩じりワイヤ先端で力を支持して外れない構造にして捩じりワイヤが回転することによって洗浄機能が好転する。
【００２３】
請求項６の効果は、「特許文献１」及び「非特許文献１」に対し、Ｕ型保持体において把持手段の構成は不可欠であり、棒状の柄を持ち易い位置に突出させて形成することによって高齢者などが手足を適度な屈伸に合わせた手軽な姿勢での洗浄に配慮する。
【００２４】
請求項７の効果は、「特許文献１」及び「非特許文献１」に対し、棒状保持体及び棒状支持体において把持手段の構成は不可欠であり、棒状の柄を持ち易い位置に突出させて形成することによって高齢者などが手足を適度な屈伸に合わせた手軽な姿勢での洗浄に配慮する。
【００２５】
請求項８の効果は、「特許文献１」及び「非特許文献１」に対し、Ｕ型保持体は、指先挿入方向と反対方向に伸びた張り出し座を備え、その座面に足踏み面を当ててガイドすることによって捩じりワイヤをスムーズに指間に入れることができ、張り出し座を片足で床面に押し付けて足指股間ブラシを保持して反対側の足を動かして洗浄できるようにして手の不自由な人たちにも使い易くする。
【００２６】
請求項９の効果は、「特許文献１」及び「非特許文献１」に対し、棒状保持体及び棒状支持体は、指先挿入方向と反対方向に伸びた張り出し座を備え、その座面に足踏み面を当ててガイドすることによって捩じりワイヤをスムーズに指間に入れることができ、張り出し座を片足で床面に押し付けて足指股間ブラシを保持して反対側の足を動かして洗浄できるようにして手の不自由な人たちにも使い易くする。
【００２７】
更に、本発明の効果は、「特許文献１」及び「非特許文献１」に対し、捩じりブラシ両端の捩じりワイヤ端部は、足指寸法の足指股間部の間隔位置相等にして保持体及び支持体と一体に構成して均等な指圧でむらがなく片足洗浄を可能にし、製造時に捩じりワイヤ端部処理が不要になり、捩じりブラシは、ブラシ諸元（芯線材質・芯線径・捩じりピッチ・植毛素線材料・素線径・ブラシ径・植毛長さ等）の異なるブラシを組み合わせたブラシ選定を可能にし、保持体は板厚方向の中央部で２分割して分割面を２枚重ね構造にして捩じりワイヤ端部の保持処理を容易にする。
【図面の簡単な説明】
【００２８】
【図１】本発明の実施例を示した斜視図であり、複数のＵ型状捩じりブラシを備えた場合の説明図である。（実施例２）図１において単数のＵ型状捩じりブラシを備えた場合は、Ｕ型保持体の中央部にＵ型状捩じりブラシを備えるものとする。（実施例１）
【図２】本発明の実施例を示した斜視図であり、複数の棒状捩じりブラシを備えた場合の説明図である。（実施例３）
【図３】本発明の実施例を示した斜視図であり、棒状支持捩じりブラシを備えた場合の説明図である。（実施例４、５）
【図４】本発明の実施例を示した平面図であり、棒状支持捩じりブラシを備えた場合の捩じりワイヤと足指股間部の配置関係を示した説明図である。（実施例６〜９）
【図５】図４の実施例を示した側面図であり、把持手段と張り出し座の形状を示した説明図である。（実施例６〜９）
【発明を実施するための形態】
【００２９】
足指股間部の洗浄において、粗雑な指入れ動作を許容し、指間に均等な指圧を与え、指の抜け出しを無くし、一度に片足の洗浄ができ、手を使わずに両足だけでの洗浄も可能にするという目的を、交換可能な棒状捩じりブラシの捩じりワイヤを足指の股間位置相等に支持体に配置し、把持手段及び張り出し座を備えて美観を損なわずに実現した。
【実施例１】
【００３０】
図１は、本発明の足指股間ブラシ６の１実施例を示し、実施例２のＵ型状捩じりブラシ４を複数用いた実施形態を示す斜視図であり、実施例１は本図を兼用する。
【００３１】
実施例１の単数のＵ型状捩じりブラシ４を用いた実施形態は、図１及び図４に示すように、弾性を有する捩じりワイヤ１と弾性を有する植毛素線２とを一体にして、その中央部で足指股間部の間隔１５相等にしてＵ型状に折り曲げたＵ型状曲げ部３を有するＵ型状捩じりブラシ４と、Ｕ型状捩じりブラシ４の両端の捩じりワイヤ１を保持するＵ型保持体５を備え、一体に形成しており、Ｕ型状捩じりブラシ４両端の捩じりワイヤ１端部は、Ｕ型保持体５の中央に配置して保持し一体に形成した足指股間ブラシ６であり、捩じりワイヤ１を足指先端より股間部に入れて上下方向に往復させて足指股間部の洗浄を行うものである。
【実施例２】
【００３２】
実施例２の複数のＵ型状捩じりブラシ４を用いた実施形態は、図１及び図４に示すように、弾性を有する捩じりワイヤ１と弾性を有する植毛素線２とを一体にして、その中央部で足指股間部の間隔１５相等にしてＵ型状に折り曲げたＵ型状曲げ部３を有するＵ型状捩じりブラシ４と、Ｕ型状捩じりブラシ４の両端の前記捩じりワイヤ１を保持するＵ型保持体５を備え、複数のＵ型状捩じりブラシ４を足指股間部の間隔１５位置相等に配置してＵ型保持体５に保持されて一体に形成した足指股間ブラシ６であり、捩じりワイヤ１を足指先端より股間部に入れて上下方向に往復させて片足の足指股間部の洗浄を一度に行うものである。
【００３３】
図４に示す足指股間部の間隔１５は、足指を上から見て、左右方向の足指間の間隔を指しており、足指股間部の間隔１５位置は、足指股間部の左右方向（Ｘ軸）と前後方向（Ｙ軸）の位置関係を示す。
【００３４】
実施例１及び実施例２のＵ型状捩じりブラシ４の特徴は、Ｕ型状曲げ部４をＵ型状又は凹型状に折り曲げてブラシ先端部をつなぐことで、柔軟な捩じりワイヤ１の使用が可能になり、ブラシ先端の開き抑制されて均等な指圧が得られ、洗浄時の指入れは捩じりワイヤ１を指先端より指間に滑り込ませて行い、Ｕ型状曲げ部３をストッパーにして指抜けを防止する。
【実施例３】
【００３５】
図２は、本発明の実施例３の棒状捩じりブラシ７を用いた実施形態を示す斜視図である。
【００３６】
実施例３の棒状捩じりブラシ７を用いた実施形態は、弾性を有する捩じりワイヤ１と弾性を有する植毛素線２とを一体にして棒状に形成した複数の棒状捩じりブラシ７と、棒状捩じりブラシ７の両端の捩じりワイヤ１を保持する棒状保持体８を備え、各棒状捩じりブラシ７両端の捩じりワイヤ１端部は足指股間部の間隔１５位置相等に配置して棒状保持体８に保持されている足指股間ブラシ６であり、捩じりワイヤ１を足指先端より股間部に入れて上下方向に往復させて片足の足指股間部の洗浄を一度に行うものである。
【実施例４】
【００３７】
図３は、本発明の実施例４及び実施例５の棒状支持捩じりブラシ９を用いた実施形態を示す斜視図である。
【００３８】
実施例４の棒状支持捩じりブラシ９を用いた実施形態は、弾性を有する捩じりワイヤ１と弾性を有する植毛素線２とを一体にして棒状に形成した複数の棒状支持捩じりブラシ９と、棒状支持捩じりブラシ９の両端の捩じりワイヤ１を着脱可能に支持する棒状支持体１０を備え、各棒状支持捩じりブラシ９の捩じりワイヤ１が足指股間部の間隔１５位置相等に配置されて棒状支持体１０に支持されている足指股間ブラシ６であり、捩じりワイヤ１を足指先端より股間部に入れて上下方向に往復させて片足の足指股間部の洗浄を一度に行うものである。
【実施例５】
【００３９】
実施例５の棒状支持捩じりブラシ９を用いた実施形態は、弾性を有する捩じりワイヤ１と弾性を有する植毛素線２とを一体にして棒状に形成した複数の棒状支持捩じりブラシ９と、棒状支持捩じりブラシ９の両端の捩じりワイヤを回転可能に支持する棒状支持体１０を備え、各棒状支持捩じりブラシ９の捩じりワイヤ１が足指股間部の間隔１５位置相等に配置されて棒状支持体１０に支持されている足指股間ブラシ６であり、捩じりワイヤ１を足指先端より股間部に入れて上下方向に往復させて片足の足指股間部の洗浄を一度に行うものである。
【実施例６】
【００４０】
図４は、本発明の棒状支持体１０に把持手段１３と張り出し座１４を構成した実施形態を示す平面図であり、Ｕ型保持体５及び棒状保持体８の実施形態は、図示を省略する。
【００４１】
図５は、図４の側面図であり、棒状支持体１０に把持手段１３と張り出し座１４を構成した実施形態を示す側面図であり、Ｕ型保持体５及び棒状保持体８の実施形態は、図示を省略する。
【００４２】
実施例６のＵ型保持体５に把持手段１３を構成した実施形態は、把持手段１３の構成イメージは、図５で示すような把持手段１３をＵ型状捩じりブラシ４の反対側に棒状の柄をＵ型保持体５より使用条件に合わせて持ち易い位置に突出させて把持手段１３を形成し、高齢者などが手足を適度な屈伸に合わせた手軽な姿勢での洗浄が可能になる。
【実施例７】
【００４３】
実施例７の棒状保持体８及び棒状支持体１０に把持手段１３を構成した実施形態は、把持手段１３の構成イメージは、図５で示すように把持手段１３を棒状捩じりブラシ７及び棒状支持捩じりブラシ７の反対側に棒状の柄を棒状保持体５より使用条件に合わせて持ち易い位置に突出させて把持手段１３を形成し、高齢者などが手足を適度な屈伸に合わせた手軽な姿勢での洗浄が可能になる。
【実施例８】
【００４４】
実施例８のＵ型保持体５に張り出し座１４を構成した実施形態は、図示を省略しており、この実施形態のイメージは、図５で示すようにＵ型保持体５が指先方向と反対方向に伸びて張り出し座１４を備え、その座面に足踏み面を当ててガイドすることによって捩じりワイヤをスムーズに指間に入れることができ、張り出し座を片足で床面に押し付けて足指股間ブラシを保持して反対側の足を動かして洗浄できるようにして手の不自由な人たちにも使い易くなる。
【実施例９】
【００４５】
実施例９の棒状保持体８及び棒状支持体１０に張り出し座１４を構成した実施形態は、図５で示すように棒状保持体８及び棒状支持体１２が指先方向と反対方向に伸びて張り出し座１４を備え、その座面に足踏み面を当ててガイドすることによって捩じりワイヤをスムーズに指間に入れることができ、張り出し座を片足で床面に押し付けて足指股間ブラシを保持して反対側の足を動かして洗浄できるようにして手の不自由な人たちにも使い易くなる。
【００４６】
更に、実施例１〜５の捩じりブラシは、捩じりワイヤ１と植毛素線２とを一体にしたＵ型状４、棒状７、棒状支持９、の形状とし、捩じりワイヤ１は、ステンレス線等の芯線にしてナイロン繊維及び動物繊維（豚毛・馬毛等）の植毛素線２を植毛し、又、図１で示すようにＵ型状部分の植毛省略を容認し、ブラシ外径を円筒状に毛刈りして成形され、使用条件に合わせたブラシ諸元の選択を行い、ブラシ諸元が異なる組合せ使用を可能とし、捩じりワイヤ１は保持部で前後方向に傾斜させることで使い勝手を向上させることが見込まれる。
【００４７】
実施例１、２のＵ型保持体５は、樹脂又は天燃木等を用いて通常の洗浄では問題ない手掴み可能なコンパクトな形状とし、捩じりワイヤ１端部の保持手段は、Ｕ型保持体５の板厚方向の中央部で２分割して分割面を２枚重ねにして保持することも可能とする。
【００４８】
実施例３の棒状保持体８は、樹脂又は天燃木等を用いて通常の洗浄では問題ない手掴み可能なコンパクトな形状とし、捩じりワイヤ１端部の保持手段は、棒状保持体８の板厚方向の中央部で２分割して分割面を２枚重ねにして保持することも可能とする。
【００４９】
実施例４、５の棒状支持体１０は、樹脂又は天燃木等を用いて図３で示すように連結部材１１の両端に支持穴１７を有する支持座１２を配置して一体に形成され、通常の洗浄では問題ない手掴み可能なコンパクトな形状とし、捩じりワイヤ１端部の支持手段は、捩じりワイヤ１両端部を弾性変形により折曲げて支持穴１７に嵌め込み、棒状支持捩じりブラシ７の着脱及び回転を可能にして支持する。
【００５０】
実施例６のＵ型保持体５に構成した把持手段１３は、使用条件及び使い勝手を考慮してＵ型保持体５より突出させる棒状の柄の寸法形状を選定できるものとする。
【００５１】
実施例７の棒状保持体８に構成した把持手段１３は、使用条件及び使い勝手を考慮して棒状保持体８より突出させる棒状の柄の寸法形状を選定できるものとする。
【００５２】
実施例８のＵ型保持体５に構成した張り出し座１４は、使用条件及び使い勝手を考慮してＵ型保持体５より伸びて形成される張り出し座１４の寸法形状を選定できるものとする。
【００５３】
実施例９の棒状保持体８及び棒状支持体１０に構成した張り出し座１４は、使用条件及び使い勝手を考慮して棒状保持体８及び棒状支持体１０より伸びて形成される張り出し座１４の寸法形状を選定できるものとする。
【符号の説明】
【００５４】
１    捩じりワイヤ
２    植毛素線
３    Ｕ型状曲げ部
４    Ｕ型状捩じりブラシ
５    Ｕ型保持体
６    足指股間ブラシ
７    棒状捩じりブラシ
８    棒状保持体
９    棒状支持捩じりブラシ
１０    棒状支持体
１１    連結部材
１２    支持座
１３    把持手段
１４    張り出し座
１５    足指股間部の間隔
１６    左足先端部
１７    支持穴
【図１】
2016042948.tif 000003
【図２】
2016042948.tif 000004
【図３】
2016042948.tif 000005
【図４】
2016042948.tif 000006
【図５】
2016042948.tif 000007